(57)【要約】【課題】容器体からの不正な取り外しを防止できかつ使い勝手がよい吐出器を提供する。【解決手段】  容器体口頸部に螺着させた装着筒部２２と装着筒部に回転可能に嵌合したカバー筒部３２との間に、非係止状態で装着筒部２２に対してカバー筒部３２が空回りする係止機構Ｓを設ける。係止機構Ｓは、装着筒部２２の外周面及びカバー筒部３２の内周面の一方周面に形成された縦方向の第１溝Ｇ１と、他方周面に形成された、周方向の環状溝部ＧＡ及びこの環状溝部ＧＡの周方向の一箇所から起立する縦溝部ＧＶで形成される第２溝Ｇ２と、第２溝Ｇ２の縦溝部ＧＶ及び当該縦溝部ＧＶに合致した第１溝Ｇ１の内部、並びに、第２溝Ｇ２の環状溝部ＧＡ及び第１溝Ｇ１の内部を移動可能であり、かつ磁石により吸引可能な係合ボール３８とからなる。また前記カバー筒部から内方突出した載置用板部３４に磁石部材４０を載置した。【選択図】図１
2019081600.tif 000002
【特許請求の範囲】
【請求項１】
上面開口のシリンダ(４)に作動部材(８)の下半部を昇降自在に挿入してなる吐出器本体(２)と、
容器体(１００)の口頸部(１０２)外面へ螺合可能な装着筒部(２２)を有し、口頸部(１０２)に装着筒部(２２)を螺着させたときに、前記シリンダ(４)を前記口頸部(１０２)内より垂下させた状態で、吐出器本体(２)を容器体(１００)に装着することが可能に設けた装着部材(２０)と、
前記装着筒部(２２)の外面へ回転可能に嵌合させたカバー筒部(３２)の上端からリング状の載置用板部(３４)を内方突出してなるカバー部材(３０)と、
前記載置用板部(３４)の上に載置可能な磁石部材(４０)と
を具備し、
前記装着筒部(２２)とカバー筒部(３２)との間に、非係止状態では装着筒部(２２)に対してカバー筒部(３２)が空回りし、係止状態ではカバー筒部(３２)を回転させることでカバー筒部(３２)と係止された装着筒部(２２)とが回転し、口頸部(１０２)の外面から螺脱させることが可能な係止機構(Ｓ)を形成しており、
係止機構(Ｓ)は、
前記装着筒部(２２)の外周面及びカバー筒部(３２)の内周面のうちの一方周面に形成された縦方向の第１溝(Ｇ１)と、
他方周面に形成された、周方向の環状溝部(ＧＡ)及びこの環状溝部(ＧＡ)の周方向の一箇所から起立する縦溝部(ＧＶで形成される第２溝(Ｇ２)と、
第２溝(Ｇ２)の縦溝部(ＧＶ)及び当該縦溝部(ＧＶ)に合致した第１溝(Ｇ１の内部、並びに、第２溝(Ｇ２)の環状溝部(ＧＡ)及び第１溝(Ｇ１)の内部を移動可能であり、かつ第１溝及び第２溝の双方に係合する係合子(３８)とからなり、
この係合子(３８)は磁石により吸引される材料で形成されており、
前記磁石部材(４０)は、第１溝(Ｇ１)と第２溝(Ｇ２)の縦溝部(ＧＶ)とが重なる状態で、環状溝部(ＧＡ)から縦溝部(ＧＶ)の先端部(Ｅ２)まで係合ボール(３８)を引き寄せることが可能な程度の磁力を有することを特徴とするポンプ式吐出器。
【請求項２】
前記磁石部材(４０)は、磁石(４０ａ)とこの磁石の下面を除く表面を覆う磁石カバー(４０ｂ)とで形成されたことを特徴とする、請求項１に記載のポンプ式吐出器。
【請求項３】
前記磁石部材(４０)はリング形状であることを特徴とする、請求項１又は請求項２に記載のポンプ式吐出器。
【請求項４】
前記作動部材(８)が有するノズルヘッド(１４)から側方へノズル(１５)が突出されており、
かつ前記磁石部材(４０)は周方向の一部にノズル挿通口(４２)を開口する平面視Ｃ字形であることを特徴とする、請求項１又は請求項２に記載のポンプ式吐出器。
【発明の詳細な説明】
【技術分野】
【０００１】
本発明は、ポンプ式吐出器に関する。
【背景技術】
【０００２】
通常のポンプは、ネジ式になっており、簡単に開栓して詰め替えが可能になっている。多くの人で使用するホテルや温泉等では、簡単に開栓できてしまうと、容器内に異物などを入れるようないたずらをされることが考えられる。
こうした不都合を解決し得る吐出器及び工具として特許文献１のものが提案されている。
吐出器は、吐出器本体と、容器体の口頸部へ螺合され、螺合状態で容器体に吐出器本体を取り付け可能な装着筒と、装着筒の外側に回転自在に取り付けられた筒状のカバー部材とを備え、装着筒の外面に嵌め合い凹部を、カバー部材に貫通孔をそれぞれ形成してなる。
工具は、前記貫通孔を介して嵌め合い凹部内へ嵌挿させて吐出器に取り付け可能に形成している。この工具を取り付けた状態でカバー部材を回すことで、カバー部材と装着筒とがとも回りして、容器体から吐出器を取り外すことができ、工具を取り付けていない状態では、装着筒に対してカバー部材が空回りするように構成している。
【先行技術文献】
【特許文献】
【０００３】
【特許文献１】特開２０１３−２４９１１１
【発明の概要】
【発明が解決しようとする課題】
【０００４】
特許文献１のものでは、カバー部材の貫通孔に工具を嵌挿させるため、ホテルの従業員などが吐出器を取り外そうとする際に、その貫通孔の位置を目視により確認して挿入しなければならず、確認作業に手間取る可能性があった。
【０００５】
本発明の目的は、容器体からの不正な取り外しを的確に防止できかつ使い勝手がよい吐出器を提供することである。
【課題を解決するための手段】
【０００６】
第１の手段は、
上面開口のシリンダ４に作動部材８の下半部を昇降自在に挿入してなる吐出器本体２と、
容器体１００の口頸部１０２外面へ螺合可能な装着筒部２２を有し、口頸部１０２に装着筒部２２を螺着させたときに、前記シリンダ４を前記口頸部１０２内より垂下させた状態で、吐出器本体２を容器体１００に装着することが可能に設けた装着部材２０と、
前記装着筒部２２の外面へ回転可能に嵌合させたカバー筒部３２の上端からリング状の載置用板部３４を内方突出してなるカバー部材３０と、
前記載置用板部３４の上に載置可能な磁石部材４０と
を具備し、
前記装着筒部２２とカバー筒部３２との間に、非係止状態では装着筒部２２に対してカバー筒部３２が空回りし、係止状態ではカバー筒部３２を回転させることでカバー筒部３２と係止された装着筒部２２とが回転し、口頸部１０２の外面から螺脱させることが可能な係止機構Ｓを形成しており、
係止機構Ｓは、
前記装着筒部２２の外周面及びカバー筒部３２の内周面のうちの一方周面に形成された縦方向の第１溝Ｇ１と、
他方周面に形成された、周方向の環状溝部ＧＡ及びこの環状溝部ＧＡの周方向の一箇所から起立する縦溝部ＧＶで形成される第２溝Ｇ２と、
第２溝Ｇ２の縦溝部ＧＶ及び当該縦溝部ＧＶに合致した第１溝Ｇ１の内部、並びに、第２溝Ｇ２の環状溝部ＧＡ及び第１溝Ｇ１の内部を移動可能であり、かつ第１溝及び第２溝の双方に係合する係合子３８とからなり、
この係合子３８は磁石により吸引される材料で形成されており、
前記磁石部材４０は、第１溝Ｇ１と第２溝Ｇ２の縦溝部ＧＶとが重なる状態で、環状溝部ＧＡから縦溝部ＧＶの先端部Ｅ２まで係合ボール３８を引き寄せることが可能な程度の磁力を有する。なお、本願の図面は、説明の都合上、載置用板部３４から環状溝ＧＡまでの上下方向の長さを大きく描いているが、前記縦溝部ＧＶの長さは係合ボール３８を環状溝部ＧＡから縦溝部ＧＶの上端まで引き寄せることが可能な程度の長さに設計する。
【０００７】
本手段では、図１に示す如く、装着筒部２２とカバー筒部３２との間に、非係止状態では装着筒部２２に対してカバー筒部３２が空回りする係止機構Ｓであって、前記装着筒部２２の外周面及びカバー筒部３２の内周面のうちの一方周面に形成された縦方向の第１溝Ｇ１と、他方周面に形成された、周方向の環状溝部ＧＡ及びこの環状溝部ＧＡの周方向の一箇所から起立する縦溝部ＧＶで形成される第２溝Ｇ２と、係合子３８とで形成される。この係合子３８は、第２溝Ｇ２の縦溝部ＧＶ及び当該縦溝部ＧＶに重なった第１溝Ｇ１の内部、並びに、第２溝Ｇ２の環状溝部ＧＡ及び第１溝Ｇ１の内部を移動可能であり、かつ第１溝及び第２溝の双方に係合する。また係合子３８は、磁石により吸引される材料で形成されている。
そしてカバー筒部３２の上端から内方突出したリング状の載置用板部３４の上に、磁石部材４０を載置可能とし、この磁石部材４０の磁力により、第２溝Ｇ２の縦溝部ＧＶ及び第１溝Ｇ１が重なった状態で、これら両溝内へ金属製の係合子３８を引き上げ、係止状態を保持できるように設けている。
磁力を利用するので、係止機構Ｓの構成を簡易とすることができ、また磁石部材を載置用板部に置くだけで係止状態となるので、使い勝手がよい。
また従来技術の如く貫通孔に工具を差し込む方法に比べて、磁石部材が載置用板部に載置されていない使用状態の容器の態様から使用方法を察知し難いので、不正使用を防止できる。
【０００８】
「第１溝及び第２溝の双方に係合する」とは、係合子の一方半部が第１溝内に、また係合子の他方半部が第２溝内にそれぞれ挿入され、溝の延びる方向にのみ移動可能であることを意味する。従って、前述の如く、第２溝の縦溝部及び第１溝の内部に挿入されている状態でこれら溝と直交する方向にカバー部材に回転力が加えられると、係合子が両溝と噛み合う結果として、カバー部材から装着部材へ回転力が伝わる。明細書には、係合子の例として、係合ボールが開示されているが、溝の内部を摺動又は転動しながら移動し、第１溝及び第２溝とかみ合う形態ならばどういう形状でも構わない。
「第１溝Ｇ１と第２溝Ｇ２の縦溝部ＧＶとが重なる状態」とは、両溝部の輪郭が完全に合致している状態に限らず、係合子を両溝部の内部に引き込むことができる程度に重なっていればよい。例えば図２に示すように縦溝部ＧＶの基端部Ｅ２の角部にＲを付けた場合には、係合子３８が前述のＲ付近に近づいた状態から、係合子３８を縦溝部ＧＶ及び第１溝Ｇ１内に引き込むことが可能である。
【０００９】
第２の手段は、第１の手段を有し、かつ
前記磁石部材４０は、磁石４０ａとこの磁石の下面を除く表面を覆う磁石カバー４０ｂとで形成されている。
【００１０】
本手段では、図１に示す如く、磁石部材４０が、磁石４０ａの下面を除く表面を覆う磁石カバー４０ｂを含む。これにより、磁石４０ａに水滴が付着して錆びたり、他物と接触して傷つくことを防止できる。
【００１１】
第３の手段は、第１の手段又は第２の手段を有し、かつ前記磁石部材４０はリング形状である。
【００１２】
本手段では、図３に示す如く、前記磁石部材４０をリング形状にしている。これにより、第２溝Ｇ２の縦溝部ＧＶが周方向のどこに在っても、当該縦溝部ＧＶと第１溝Ｇ１とが一致していれば、係合子３８を縦溝部ＧＶの先端部Ｅ２のある位置に引き寄せることができ、磁石部材４０に対する位置合わせを行う必要がないので、便利である。
【００１３】
第４の手段は、第１の手段又は第２の手段を有し、かつ
前記作動部材８が有するノズルヘッド１４から側方へノズル１５が突出されており、かつ前記磁石部材４０は周方向の一部にノズル挿通口４２を開口する平面視Ｃ字形である。
【００１４】
本手段では、作動部材８が有するノズルヘッド１４から側方へノズル１５が突出されている。そして前記磁石部材４０は平面視Ｃ字形であり、当該Ｃの欠除箇所で形成するノズル挿通口４２に前記ノズル１５を挿通させて、磁石部材４０をカバー部材３０に着脱することができるので便利である。
【発明の効果】
【００１５】
第１の手段に係る発明によれば、磁石を利用して係合子３８を縦溝部ＧＶの先端部Ｅ２に引きつけるから、係止機構Ｓの構成を簡易とすることができるとともに、不正使用を防止でき、載置用板部に磁石部材を載置するだけで係止状態となるので、使い勝手がよい。
第２の手段に係る発明によれば、磁石部材４０は、磁石４０ａとこの磁石の下面を除く表面を覆う磁石カバー４０ｂとで形成されているから、他物との接触で傷つくことを防止できる。
第３の手段に係る発明によれば、前記磁石部材４０はリング形状であるから、第２溝Ｇ２の縦溝部ＧＶが周方向のどこに在っても係合子３８を縦溝部ＧＶの先端部Ｅ２のある位置に引き寄せることができ、縦溝部ＧＶの位置合わせが必要ないから便利である
第４の手段に係る発明によれば、前記磁石部材４０は周方向の一部にノズル挿通口４２を開口する平面視Ｃ字形であるから、そのノズル挿通口４２にノズルヘッド１４のノズル１５を通過させて磁石部材４０を装備することができて便利である。
【図面の簡単な説明】
【００１６】
【図１】本発明の第１実施形態に係る注出容器の縦断面図である。
【図２】図１の注出容器の一の部材の側面図である。
【図３】図１の注出容器の他の部材（磁石部材）の平面図である。
【図４】図１の注出容器の使用方法の説明図である。
【図５】本発明の第２実施形態に係る注出容器の縦断面図である。
【図６】図１の注出容器の一の部材（磁石部材）の平面図である。
【発明を実施するための最良の形態】
【００１７】
図１から図４は、本発明の第１実施形態に係るポンプ式吐出器を示している。このポンプ式吐出器は、吐出器本体２と、装着部材２０と、カバー部材３０と、係合ボール３８と、磁石部材４０とで形成されている。説明の便宜上、まず本発明の吐出器の基本的な構成について説明する。
【００１８】
吐出器本体２は、従来公知の構成であるため、簡単に説明する。本実施形態の吐出器本体２は、少なくともシリンダ４と、玉弁６Ａと、ロッド部材７と、作動部材８とで形成されている。
【００１９】
前記シリンダ４は、シリンダ周壁の上端部に鍔部４ｅを有する。
前記シリンダ周壁の上部は大径周壁部４ａに、またその下部は小径周壁部４ｂにそれぞれ形成されており、この小径周壁部から下端小径のテーパ状部４ｃを介して取付筒部４ｄを垂下している。この取付筒部には、吸上げパイプｉを設ける。前記大径周壁部４ａの上部には、第１通気孔Ｏ１及び第２通気孔Ｏ２が開口されている。
玉弁６Ａは、前記テーパ状部４ｃの上に載置されている。これら玉弁６Ａ及びテーパ状部４ｃの上面とで第１逆止弁Ｖ１が形成されている。
ロッド部材７は、前記シリンダ４内へ縦向きに配置されており、その外面下部から放射方向に突出する複数のフィンｆをシリンダ周壁の下端部内面に当接させることで固定されている。これら各フィンｆは、コイルスプリングを係止するための上向き段部ｄを有する。
【００２０】
作動部材８は、本実施形態では、プランジャ１０Ａと、連通管１２Ａと、ノズルヘッド１４とで構成されている。
プランジャ１０Ａは、下部を筒状部に、また上部を棒状部にそれぞれ形成されている。その筒状部の下端部には、前記シリンダ４の内面を摺動する小径ピストン１０ａが形成されており、筒状部の上部には、連通孔ｈが開口されている。また前記棒状部の上端は円錐状突部１０ｂに形成されている。
前記連通管１２Ａは、管壁の下端に前記シリンダ４の内面上部に摺接させた環状シール部１２ａを有し、かつ管壁の上部に大径ピストン１２ｂを設けている。環状シール部１２ａの下面側と前記フィンｆの上向き段部ｄとの間には、コイルスプリングｃが介装されている。連通管１２Ａの内部には、前記プランジャ１０Ａが挿入され、前記円錐状突部１０ｂは連通管１２Ａより上方へ延びている。連通管１２Ａの内面とプランジャ１０Ａの外面との間には、前記連通孔ｈを後述の第２逆止弁Ｖ２に連通させるための液通路が形成されている。
ノズルヘッド１４は、本実施形態では、図１に示すように、ヘッド本体１４ａと、ヘッドシリンダ１４ｂと、ノズルチップ１４ｃとで形成されている。
前記ヘッド本体１４ａは、ヘッド頂壁ｔの外周からヘッド周壁ｋを、またヘッド頂壁ｔの中心部から取付筒部ｊをそれぞれ垂下している。また取付筒部ｊの内部と連通させて、ヘッド周壁の上部には、凹部が形成されており、この凹部に前記ノズルチップ１４ｃが組み込まれてノズル１５が形成されている。
前記ヘッドシリンダ１４ｂは、前記大径ピストン１２ｂを嵌合させた縦筒形状の大径シリンダ部ａと、この大径シリンダ部の上部から内方突出した水平リング状の弁座用板部ｕと、弁座用板部ｕの上部から起立した嵌合筒部ｂとを有する。この嵌合筒部ｂは、前記取付筒部ｊ内に嵌着されており、また前記大径シリンダ部ａは、後述のガイド筒部２８の上端内に上方抜け出し不能に嵌着されている。前記弁座用板部ｕの内周縁には前記プランジャ１０Ａの円錐状突部１０ｂが圧接され、これら内周縁及び円錐状突部１０ｂで第２逆止弁Ｖ２が形成されている。
【００２１】
装着部材２０は、容器体１００の口頸部１０２外面に螺合可能な装着筒部２２を有し、この装着筒部２２の上部から内向きフランジ状頂壁２６を内方突出している。この構成により、前記装着筒部２２を容器体１００の口頸部１０２へ螺着させたときに、内向きフランジ状頂壁２６と口頸部１０２との間にシリンダ４の鍔部４ｅをパッキンｐとともに挟持し、シリンダ４を容器体１００内へ垂設できるように設けている。
また前記内向きフランジ状頂壁２６の内周からはガイド筒部２８を起立する。このガイド筒部２８は、前記大径シリンダ部ａの外周面下部にスライド可能に嵌合され、作動部材８の昇降を案内するように形成している。またガイド筒部２８の上端部２８ａは小内径部に形成され、大径シリンダ部ａの下端部に形成する大外径部とかみ合って、作動部材の抜け出しを防止するように設けている。
【００２２】
ここで前記吐出器の一般的な作用を説明する。図１の状態から装着部材２０を容器体１００の口頸部１０２に螺合させて、ノズルヘッド１４を押し下げると、コイルスプリングｃの弾性に抗して作動部材８が下降する。このときに、シリンダ４及び大径シリンダ部ａの内部がともに高圧化するが、これらシリンダ４及び大径シリンダ部ａの径差により、ノズルヘッド１４に対してプランジャ１０Ａ及び連通管１２Ａがさらに下降して、第２逆止弁Ｖ２が開き、シリンダ内の液体が第２逆止弁Ｖ２を通ってノズル１５から吐出される。
次にノズルヘッド１４の押し下げを解放すると、まずノズルヘッド１４に対してプランジャ１０Ａ及び連通管１２Ａが上昇して、第２逆止弁Ｖ２が閉じる。さらに作動部材８全体が上昇することにより、第１逆止弁Ｖ１が開き、容器体１００内の液体が第１逆止弁Ｖ１を通ってシリンダ４内へ入る。
【００２３】
本発明においては、装着部材２０の外側を覆うカバー部材３０が設けられている。
カバー部材３０は、前記装着筒部２２の外面に回転可能に嵌合されたカバー筒部３２と、カバー筒部３２の上端から内方突出されたリング板状の載置用板部３４とを有し、さらに載置用板部３４の内周から前記ガイド筒部２８の回りを囲むスリーブ筒部３６を起立している。
前記装着筒部２２とカバー筒部３２との間には、図１に示す係止機構Ｓを設ける。
この係止機構Ｓは、装着筒部２２及びカバー筒部３２の対応する面にそれぞれ形成された第１溝Ｇ１及び第２溝Ｇ２と、係合ボール３８とからなる。
本実施形態において、まず第２溝Ｇ２は、図１に示すように、装着筒部２２の下部に周設した環状溝部ＧＡと、この環状溝部ＧＡの周方向の一箇所から上方へ延びる縦溝部ＧＶとで形成されている。縦溝部ＧＶは、周方向の複数箇所に形成することが好適である。複数の縦溝部ＧＶを相互に一定間隔をおいて配置してもよい。好適な図示例では、縦溝部ＧＶの基端部Ｅ１側において環状溝部ＧＡから縦溝部ＧＶに入る曲り箇所にＲを付して（丸めて）、係合ボール３８の移動をスムーズにしている。
また第１溝Ｇ１は、図１に示すようにカバー筒部３２の内面に形成された縦溝である。第１溝Ｇ１は、少なくとも第２溝Ｇ２の縦溝部ＧＶの先端部Ｅ２から環状溝部ＧＡの下縁に亘って形成すれば十分である。しかしながら、図示例の縦溝は、カバー筒部３２の下端まで伸び、下端面を開口して、カバー部材３０を金型成形するときに型抜きを容易となるようにしている。
なお、図示例と異なり、第１溝Ｇ１を装着筒部２２の外面に、また第２溝Ｇ２をカバー筒部３２の内面にそれぞれ形成しても構わない。
係合ボール３８は、磁石により吸引され得る材料、好ましくは鉄などの金属で形成されている。係合ボールは、その球体の一方半部が第１溝Ｇ１内に、他方半部が第２溝Ｇ２内にそれぞれ嵌挿されている。
なお、図示例では、装着筒部２２の上部に補助溝２４が周設されており、またカバー筒部３２の上部内面には、補助溝２４の上端に係止する抜止め用リブ３３が付設されている。
補助溝２４の意味は、抜止め用リブ３３を係止させるため、及び、肉厚部分を減らすためである。
【００２４】
ここで係止機構Ｓの作用を説明する。
第１溝Ｇ１の環状溝部ＧＡは常に第２溝Ｇ２と交差しているため、係合ボール３８は、その他方半部が環状溝部ＧＡ内に挿入されている状態において、カバー部材３０とともに、装着部材２０の周囲を自由に回転できる。このとき、カバー部材３０と装着部材２０とは相互に係止されていない状態（非係止状態）であり、カバー部材３０を回転させても、回転力が装着部材２０に伝わらない。従って、カバー部材３０を回転させることにより、装着部材２０を口頸部１０２に対して螺脱させることができない。
係合ボール３８の一半部は常に第１溝Ｇ１内に在るので、後述の磁石部材４０を利用して、係合ボール３８の他半部が第１溝Ｇ１の縦溝部ＧＶ内に入るようにすると、係合ボール３８を介してカバー筒部３２と装着筒部２２とがかみ合う。従ってこの状態でカバー部材３０を開方向へ回転させることにより、装着部材２０も口頸部１０２の回りを回転し、口頸部１０２から装着筒部２２を螺脱させることができる。
【００２５】
さらに本発明の吐出容器は、前記係合ボール３８を操作するために磁石部材４０を有する。
この磁石部材４０は、前記載置用板部３４の上面に載置可能に形成されている。
ここで「載置可能に」と表現しているのは、磁石部材４０は吐出器本体２を取り外すときだけ載置用板部３４の上に載置されるものであり、吐出器本体を容器体に組み付けてホテルの利用客の利用に供している状態では、磁石部材４０は別の場所に保管されているのが通常だからである。
磁石部材４０は、第２溝Ｇ２の縦溝部ＧＶ及び第１溝Ｇ１に重なり合った状態で、前記環状溝部ＧＡから縦溝部ＧＶの先端部Ｅ２側へ係合ボール３８を引き寄せる機能を有する。
本実施形態では、磁石部材４０は、上方から見てリング状に形成されており、第２溝Ｇ２の縦溝部ＧＶ及び第１溝Ｇ１が重なり合っていれば、周方向のどこからでも係合ボール３８を引き上げることができるように構成している。
なお、前述の縦溝部ＧＶの上下方向の長さは、磁石部材４０の磁力の大きさに応じて、環状溝部ＧＡから縦溝部ＧＶの上端部Ｅ２まで係合ボール３８を引き上げることが可能な長さに設計するものとする。
また図示例の磁石部材４０は、リング状の磁石４０ａと磁石の下面を除く表面全体を覆う磁石カバー４０ｂとで構成されている。これにより磁石に水滴が付着したり、或いは磁石に他物が衝突して傷つけるなどの不都合を回避できる。
なお、前記磁石４０ａは、リング状の磁石部材の周方向の一部（例えば２箇所）に分けて設けてもよい。対向位置に設けると特に有利である。
【００２６】
以上の構成において、図４（Ａ）の状態では、前述の通り、係合ボール３８は環状溝部ＧＡに沿って自由に回転可能であるため、カバー部材３０を回転させても、装着部材２０に対してカバー部材３０が空回りするので、口頸部１０２に対して装着筒部２２を螺脱させることができない。
図４（Ｂ）に示すように、カバー部材３０を載置用板部３４の上に載置し、そして図４（Ｃ）に示すように、カバー部材３０を回転させると、係合ボール３８は、その一方半部がカバー筒部３２の第１溝Ｇ１内に挿入されているため、環状溝部ＧＡに沿ってカバー部材３０とともに回転する。
前記係合ボール３８が縦溝部ＧＶの基端部Ｅ１に到達すると、磁石部材４０の磁力により、縦溝部ＧＶ内へ入り、さらに縦溝部ＧＶの先端部Ｅ２に引き寄せられる。
【００２７】
以下本発明の他の実施形態に係る吐出器を説明する。これらの説明において第１実施形態と同じ構成については、解説を省略する。
【００２８】
図５及び図６は、本発明の第１実施形態に係るポンプ式吐出器を示している。本実施形態では、まず吐出器本体２の基本的構成が異なり、その要点は、ノズルヘッド１４のヘッド周壁ｋから筒状のノズル１５が側方へ突出しているとともに、磁石部材４０の上方から見た形状を、周方向に一箇所にノズル挿通口４２を開口するＣ字形としていることである。
この構成により、磁石部材４０を載置用板部３４に載置するときに、ノズル１５に前記ノズル挿通口４２を挿通させることにより、磁石部材４０を真上から載置することができ、便利である。
【００２９】
なお、前記本実施形態の吐出器本体２の基本的構成は公知であるため、第１実施形態のものとの相違点を簡単に説明する。
まず吐出器本体２は、前記玉弁６Ａに代えてポペット弁体６Ｂをシリンダ４に内蔵している。ポペット弁体６Ｂは、縦長棒状の部材であり、その上端部を後述のピストンガイド９の縦筒部９ａの下部内に昇降可能に嵌挿している。またポペット弁体の下部外周からは、放射方向に複数のフィンｆが突出されており、これらフィンｆは、それぞれシリンダ４の下部内に縦設された内リブ４f同士の間に挿入されている。各内リブ４fはコイルスプリングｃの下端部を支えるための上向き段部ｄを有する。ポペット弁体６Ｂの下端部ｍは、前記テーパ状部４ｃに接近しており、これらポペット弁体６Ｂの下端部ｍとテーパ状部４ｃの上面とで第１逆止弁Ｖ１を形成している。
また第１実施形態の構成中、ロッド部材７は省略するとともに、シリンダ４の上部内に嵌着された抜止め筒５を嵌着している。抜止め筒５の上半部は小内径部に形成されており、これにより、後述の筒状ピストン１０Ｂ及びステム１２Ｂの大径筒部１２ｅの上方抜出しを防止している。前記抜止め筒５の上部からは、鍔部４ｅの内周部上面に載置させた外向きフランジ５ａを突出している。
また吐出器本体２は、前記連通管１２Ａに代えてステム１２Ｂを有する。ステムは、ノズルヘッド１４を上端に付設した小径筒部１２ｃの下端から拡径部１２ｄを介して大径筒部１２eを突出した構成を有する。ステム１２Ｂは、前記抜止め筒５の内側を挿通して下半部をシリンダ４内へ突入させている。前記小径筒部１２ｃの内面には縦リブｒが付設され、この縦リブｒがピストンガイド９の縦筒部９ａの外面に接することで、縦筒部９ａとの間に液板通路を形成している。
さらに吐出器本体２は、ピストンガイド９を有する。ピストンガイド９は、縦筒部９ａの下端に環状の張出壁部９ｂを形成している。前記縦筒部９ａの上部は、前記ステム１２Ｂの小径筒部１２ｃの下部内に嵌着されている。前記張出壁部９ｂは、ほぼ水平な内周部（弁座部）から、シリンダ４の内周面に接近する外周部を下外方へ突設し、この外周部の上部に連通孔ｈを開口している。
また第１実施形態の連通管１２Ａに代えて、シリンダ４の内周面を摺動可能な筒状ピストン１０Ｂが設けられている。筒状ピストン１０Ｂは、上下両半部をスカート状に形成し、シリンダ４の内周面を摺動する外周壁部１０ｃと、前記縦筒部９ａの周面を昇降可能に囲む内周壁部１０ｄとこれら両壁部の上下方向中間部を連結する連結部１０ｅとで形成されている。内周壁部１０ｄの上部は、前記大径筒部１２ｅの内面に昇降可能に嵌合されており、また内周壁部１０ｄの下端部と張出壁部９ｂの内周部とは、第２逆止弁Ｖ２を形成している。
ノズルヘッド１４は、ヘッド本体１４ａとヘッドシリンダ１４ｂとノズルチップ１４ｃとでなる第１実施形態の構成から、前記ヘッドシリンダ１４ｂとノズルチップ１４ｃを省略し、ヘッド本体に相当する構成を有する。すなわち、ヘッド頂壁ｔの中心部から垂下する取付筒部ｊに、後述のステム１２Ｂの上端部を嵌合させている。また取付筒部ｊの内部に連通させて、ヘッド周壁ｋを貫通する筒状のノズル１５を側方へ突出している。
図５の状態からノズルヘッド１４を押し下げると、ステム１２Ｂ及びピストンガイド９が筒状ピストン１０Ｂより早く下降するために、第２逆止弁Ｖ２が開くとともに、ピストンガイド９の縦筒部９ａとの摩擦力により、ロッド部材７が下降して、第１逆止弁Ｖ１が閉じる。これにより、シリンダ４内の液体が第２逆止弁Ｖ２を通ってノズルから吐出される。ノズルヘッド１４の押下げを解放すると、ステム１２Ｂ及びピストンガイド９が筒状ピストン１０Ｂより早く上昇するために、第２逆止弁Ｖ２が閉じる。ポペット弁体６Ｂは前記縦筒部９ａとの摩擦力により、フィンがコイルスプリングｃの下端に係止するまで引き上げられる。ピストンガイド９及びステム１２Ｂは、前記フィンｆの係止によりポペット弁体６Ｂが停止した後も上昇を続け、シリンダ４内が負圧化して、容器体１００内の液体が第１逆止弁Ｖ１を通ってシリンダ４内へ吸い込まれる。
【符号の説明】
【００３０】
２…吐出器本体  ４…シリンダ  ４ａ…大径周壁部  ４b…小径周壁部  
４c…テーパ状部  ４d…取付筒部 ４e…鍔部  ４f…内リブ
５…抜止め筒  ５ａ…外向きフランジ
６Ａ…玉弁  ６Ｂ…ポペット弁体
７…ロッド部材
８…作動部材
９…ピストンガイド
９ａ…縦筒部  ９b…張出壁部  
１０Ａ…プランジャ  １０Ｂ…筒状ピストン
１０ａ…小径ピストン  １０ｂ…円錐状突部  １０ｃ…外周壁部  １０ｄ…内周壁部
１０ｅ…連結部
１２Ａ…連通管  １２Ｂ…ステム
１２ａ…環状シール部  １２ｂ…大径ピストン  １２ｃ…小径筒部  １２ｄ…拡径部
１２ｅ…大径筒部
１４…ノズルヘッド  １４ａ…ヘッド本体  １４ｂ…ヘッドシリンダ
１４ｃ…ノズルチップ  １５…ノズル
２０…装着部材  ２２…装着筒部  ２４…補助溝  ２６…第１内向きフランジ状頂壁
２８…ガイド筒部  ２８ａ…上端部
３０…カバー部材  ３２…カバー筒部  ３３…抜止め用リブ
３４…載置用板部  ３６…スリーブ筒部
３８…係合ボール  
４０…磁石部材  ４０ａ…磁石  ４０ｂ…磁石カバー  
１００…容器体  １０２…口頸部
ａ…大径シリンダ部  ｂ…嵌合筒部  c…コイルスプリング
ｄ…上向き段部  Ｅ１…（縦溝部）基端部  Ｅ２…（縦溝部）先端部  f…フィン
Ｇ１…第１溝  Ｇ２…第２溝  ＧＡ…環状溝部  ＧＶ…縦溝部
ｈ…連通孔  i…吸上げパイプ  ｊ…取付筒部  ｋ…ヘッド周壁
ｍ…（ポペット弁体）下端部  Ｏ１…第１通気孔  Ｏ２…第２通気孔  ｐ…パッキン
ｒ…縦リブ  Ｓ…係止機構
ｕ…弁座用板部  t…ヘッド頂壁
Ｖ１…第１逆止弁  Ｖ２…第２逆止弁
【図１】
2019081600.tif 000003
【図２】
2019081600.tif 000004
【図３】
2019081600.tif 000005
【図４】
2019081600.tif 000006
【図５】
2019081600.tif 000007
【図６】
2019081600.tif 000008